【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
ディジタル放送信号を含む放送信号を受信して復調する放送信号受信装置であって、
放送信号受信装置の現在位置を検出する位置検出部と、
地域と、該地域に対応付けられたチャンネルを記憶する記憶部と、
各チャンネルの受信状態を判断する受信部と、
前記受信部に対して、前記位置検出部で検出された現在位置が含まれる地域に対応付けられたチャンネルの受信状態を判断させるように制御する制御部とを有し、
前記受信部は、前記現在位置が含まれる地域に対応付けられたチャンネルの全ての受信状態を連続で判断する第１のモードと、現在位置が含まれる地域に対応付けられたチャンネルのうち、現在出力中のチャンネルの隣のチャンネルの受信状態を判断する第２のモードとのいずれかのモードで動作することを特徴とする放送信号受信装置。
【請求項２】
ディジタル放送信号およびアナログ放送信号を含む放送信号を受信して復調する放送信号受信装置であって、
放送信号受信装置の現在位置を検出する位置検出部と、
地域と、該地域に対応付けられたディジタル放送チャンネルおよびアナログ放送チャンネルを記憶する記憶部と、
各チャンネルの受信状態を判断する受信部と、
ディジタル放送チャンネルまたはアナログ放送チャンネルのいずれの受信状態を判断するかを設定する設定部と、
前記位置検出部で検出された現在位置が含まれる地域に対応付けられたチャンネルのうち、前記設定部で設定されたチャンネルの受信状態を判断させるように制御する制御部とを有することを特徴とする放送信号受信装置。
【請求項３】
ディジタル放送信号を含む放送信号を受信して復調する放送信号受信方法であって、
放送信号受信装置の現在位置を検出する位置検出ステップと、
検出された現在位置が含まれる地域を選択する地域選択ステップと、
選択した地域に対応付けられたチャンネルの受信状態を判断する判断ステップとを有し、
前記判断ステップは、現在位置が含まれる地域に対応付けられたチャンネルの全ての受信状態を連続で判断する第１のモードと、現在位置が含まれる地域に対応付けられたチャンネルのうち、現在出力中のチャンネルの隣のチャンネルの受信状態を判断する第２のモードとのいずれかのモードでチャネルの受信情報を判断することを特徴とする放送信号受信方法。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明は、ディジタル放送信号を含む放送信号を受信して復調する放送信号受信装置であって、
放送信号受信装置の現在位置を検出する位置検出部と、
地域と、該地域に対応付けられたチャンネルを記憶する記憶部と、
各チャンネルの受信状態を判断する受信部と、
前記受信部に対して、前記位置検出部で検出された現在位置が含まれる地域に対応付けられたチャンネルの受信状態を判断させるように制御する制御部とを有し、
前記受信部は、前記現在位置が含まれる地域に対応付けられたチャンネルの全ての受信状態を連続で判断する第１のモードと、現在位置が含まれる地域に対応付けられたチャンネルのうち、現在出力中のチャンネルの隣のチャンネルの受信状態を判断する第２のモードとのいずれかのモードで動作することを特徴とする放送信号受信装置である。
【手続補正５】
【補正対象書類名】明細書
【補正対象項目名】００１４
【補正方法】変更
【補正の内容】
【００１４】
本発明に従えば、予め複数の地域と、各地域内で受信可能なチャンネルとを関連づけて、すなわち地域と、該地域に対応付けられたチャンネルを記憶部に記憶しておき、位置検出部で現在位置が検出されると、制御部が、検出された現在位置が含まれる地域を選択する。制御部は、受信部に対して、選択した地域内で受信可能、すなわち現在位置が含まれる地域に対応付けられたなチャンネルの受信状態を判断させるように制御する。
【手続補正６】
【補正対象書類名】明細書
【補正対象項目名】００１６
【補正方法】変更
【補正の内容】
【００１６】
また本発明は、前記位置検出部に対して検出の開始を指示する指示部を有する構成としてもよい。
また本発明は、前記指示部は、ユーザの操作に基づいて指示する構成としてもよい。
【手続補正７】
【補正対象書類名】明細書
【補正対象項目名】００１７
【補正方法】変更
【補正の内容】
【００１７】
また本発明は、前記指示部は、放送信号の受信中に、予め定める数のチャンネルが受信不可能となったときに指示する構成としてもよい。
【手続補正８】
【補正対象書類名】明細書
【補正対象項目名】００１８
【補正方法】変更
【補正の内容】
【００１８】
これによって、指示部の指示によって位置検出部が検出を開始する。この指示は、ユーザの操作に基づいて行われる場合と、放送信号の受信中に、予め定める数のチャンネルが受信不可能となったときに行われる場合とがある。特に、予め定める数のチャンネルが受信不可能となったときとは、放送信号受信装置が存在する地域が変化したときである。したがって、地域が変わったときおよびユーザから指示されたときにのみチャンネルサーチが開始されることとなり、無駄なチャンネルサーチを防ぐことができる。
【手続補正９】
【補正対象書類名】明細書
【補正対象項目名】００１９
【補正方法】変更
【補正の内容】
【００１９】
また本発明は、前記受信部は、伝送路応答に基づいて受信状態を判断する構成としてもよい。
【手続補正１０】
【補正対象書類名】明細書
【補正対象項目名】００２０
【補正方法】変更
【補正の内容】
【００２０】
これによって、受信部は、伝送路応答に基づいて受信状態を判断する。たとえば、放送信号のフレーム同期を調べ、同期が確立しているときは、ディジタル放送信号を受信していると判断する。これにより、ディジタル放送の受信状態を精度よく判断することができる。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
また受信部による受信状態の判断には２つのモードがあり、これらを切り替えることができる。第１モードでは、前記現在位置が含まれる地域に対応付けられたチャネルのうち受信可能なチャンネルの全てを連続で判断し、第２のモードでは、現在位置が含まれる地域に対応付けられたチャンネルのうち、現在出力中のチャンネルの隣接するチャンネルのみを判断する。このように２つのモードを切り替えることでユーザの好みに応じたチャンネルサーチを行うことができる。
【手続補正１３】
【補正対象書類名】明細書
【補正対象項目名】００２３
【補正方法】変更
【補正の内容】
【００２３】
また本発明は、ディジタル放送信号およびアナログ放送信号を含む放送信号を受信して復調する放送信号受信装置であって、
放送信号受信装置の現在位置を検出する位置検出部と、
地域と、該地域に対応付けられたディジタル放送チャンネルおよびアナログ放送チャンネルを記憶する記憶部と、
各チャンネルの受信状態を判断する受信部と、
ディジタル放送チャンネルまたはアナログ放送チャンネルのいずれの受信状態を判断するかを設定する設定部と、
前記位置検出部で検出された現在位置が含まれる地域に対応付けられたチャンネルのうち、前記設定部で設定されたチャンネルの受信状態を判断させるように制御する制御部とを有することを特徴とする放送信号受信装置である。
【手続補正１４】
【補正対象書類名】明細書
【補正対象項目名】００２６
【補正方法】変更
【補正の内容】
【００２６】
また本発明は、ディジタル放送信号を含む放送信号を受信して復調する放送信号受信方法であって、
放送信号受信装置の現在位置を検出する位置検出ステップと、
検出された現在位置が含まれる地域を選択する地域選択ステップと、
選択した地域に対応付けられたチャンネルの受信状態を判断する判断ステップとを有し、
前記判断ステップは、現在位置が含まれる地域に対応付けられたチャンネルの全ての受信状態を連続で判断する第１のモードと、現在位置が含まれる地域に対応付けられたチャンネルのうち、現在出力中のチャンネルの隣のチャンネルの受信状態を判断する第２のモードとのいずれかのモードでチャネルの受信情報を判断することを特徴とする放送信号受信方法である。
【手続補正１５】
【補正対象書類名】明細書
【補正対象項目名】００２８
【補正方法】変更
【補正の内容】
【００２８】
予め複数の地域と、各地域内で受信可能なチャンネルとを関連づけて記憶しておき、現在位置が検出されると、検出された現在位置が含まれる地域を選択する。選択した地域内で受信可能なチャンネルの受信状態を判断させる。
【手続補正１６】
【補正対象書類名】明細書
【補正対象項目名】００２９
【補正方法】変更
【補正の内容】
【００２９】
これにより、サーチの対象を、装置の現在位置で受信可能なチャンネルに限定することによって、チャンネルサーチに要する時間を大幅に短縮することが可能である。
また判断ステップにおける、受信部による受信状態の判断には２つのモードがあり、これらを切り替えることができる。第１モードでは、前記現在位置が含まれる地域に対応付けられたチャネルのうち受信可能なチャンネルの全てを連続で判断し、第２のモードでは、現在位置が含まれる地域に対応付けられたチャンネルのうち、現在出力中のチャンネルの隣接するチャンネルのみを判断する。このように２つのモードのいずれかによって、受信状態を判断することによって、ユーザの好みに応じたチャンネルサーチを行うことができる。
【手続補正１７】
【補正対象書類名】明細書
【補正対象項目名】００３２
【補正方法】変更
【補正の内容】
【００３２】
また本発明によれば、地域が変わったときにチャンネルサーチが開始されることとなり、無駄なチャンネルサーチを防ぐことができる。
【手続補正１８】
【補正対象書類名】明細書
【補正対象項目名】００４９
【補正方法】変更
【補正の内容】
【００４９】
このようにして、ディジタルテレビジョン受信部１１は、ＲＦ部１０から入力された放送信号に対してチャンネルサーチを行うのであるが、チャンネルサーチを行うときのディジタルテレビジョン受信部１１の動作には２種類のモードがある。第１のモードは、チャンネルテーブル２０に記載されている全てのチャンネルについて連続でサーチする動作モードである。ＲＦ部１０から入力される全チャンネルの放送信号に対して、たとえば小さいチャンネル番号のチャンネルから昇順で連続して放送信号の受信判断を行う。ＲＦ部１０から入力される全チャンネルとは、言い換えれば現在位置が含まれる地域に対応付けられた全チャネルである。図２に示したように、第１地域の場合、チャンネルテーブル２０に記載されているチャンネル番号は、１，３，５，７，９，…，７１であるので、この順で連続して放送信号の受信判断を行う。大きいチャンネル番号のチャンネルから降順で連続して受信判断を行ってもよい。
【手続補正１９】
【補正対象書類名】明細書
【補正対象項目名】００５０
【補正方法】変更
【補正の内容】
【００５０】
第２のモードは、現在、表示装置から映像および音声が出力されているチャンネルのチャンネル番号に隣接するチャンネル番号のチャンネル（隣接チャンネル）をサーチする動作モードである。現在、表示装置から映像および音声が出力されているチャンネルとは、言い換えれば、現在位置が含まれる地域に対応付けられたチャンネルのうち、現在出力中のチャンネルである。入力部１５にアップキーおよびダウンキーなどのサーチキーを設け、いずれかのキーがユーザによって押されると、入力部１５からサーチキー入力信号が制御部１２のＣＰＵ１２１に対して出力される。サーチキー入力信号が入力されると、ＣＰＵ１２１からディジタルテレビジョン受信部１１に対して、隣接サーチ開始信号が出力される。隣接サーチ開始信号が入力されると、ディジタルテレビジョン受信部１１は、隣接チャンネルの放送信号の受信判断を行う。図２に示したように、第１地域の場合、チャンネルテーブル２０に記載されているチャンネル番号は、１，３，５，７，９，…，７１であるので、現在表示装置から映像および音声が出力されているチャンネルのチャンネル番号が５であるときに、アップキーが入力されると、隣接チャンネルであるチャンネル番号が３のチャンネルについて放送信号の受信判断を行う。